(57)【要約】【課題】定着部を通過した用紙を従動ローラーに接触させても、用紙と従動ローラーとの接触による画像の光沢むらを生じさせないようにする。【解決手段】用紙Ｓ上に転写されたトナー像を加熱により用紙Ｓに定着する定着部３０と、定着部３０の用紙搬送方向の下流側に設けられ、用紙Ｓを定着部３０から排紙する定着排紙ローラー対２３と、を備え、定着排紙ローラー対２３は、駆動ローラー２３Ａと、定着部３０にてトナー像が定着された用紙Ｓ面に接触し、駆動ローラー２３Ａとの間で用紙Ｓを挟持して搬送する従動ローラー２３Ｂと、から構成された画像形成装置Ａにおいて、従動ローラー２３Ｂを加熱するヒーター７１と、ヒーター７１を制御する制御部９０と、を備える。【選択図】図３
2013011636.tif 000002
【特許請求の範囲】
【請求項１】
用紙上に転写されたトナー像を加熱により前記用紙に定着する定着部と、
前記定着部の用紙搬送方向の下流側に設けられ、前記用紙を前記定着部から排紙する定着排紙ローラー対と、を備え、
前記定着排紙ローラー対は、駆動ローラーと、前記定着部にてトナー像が定着された前記用紙面に接触し、前記駆動ローラーとの間で前記用紙を挟持して搬送する従動ローラーと、から構成された画像形成装置において、
前記従動ローラーを加熱する加熱部と、
前記加熱部を制御する制御部と、を備えたことを特徴とする画像形成装置。
【請求項２】
前記トナーは、ワックスを含有し、
前記従動ローラーは、前記定着部により加熱された前記用紙の温度が前記ワックスの融点以下になる前に、前記用紙に接触する位置に配置されていることを特徴とする請求項１に記載の画像形成装置。
【請求項３】
前記従動ローラーの温度を検知する第１検知部を更に備え、
前記制御部は、前記第１検知部により検知された温度に基づいて前記加熱部を制御することを特徴とする請求項１又は請求項２に記載の画像形成装置。
【請求項４】
前記制御部は、前記従動ローラーの温度が１００℃〜２００℃の温度になるように前記加熱部を制御することを特徴とする請求項１から３の何れか一項に記載の画像形成装置。
【請求項５】
前記制御部は、前記従動ローラーの温度が、前記融点と、前記定着部による加熱温度との間の温度になるように前記加熱部を制御することを特徴とする請求項１から３の何れか一項に記載の画像形成装置。
【請求項６】
前記定着排紙ローラー対から排紙される前記用紙を検知する第２検知部と、前記第２検知部を冷却する第１冷却部を更に備えることを特徴とする請求項１から５の何れか一項に記載の画像形成装置。
【請求項７】
前記定着排紙ローラー対の用紙搬送方向下流側に設けられ、前記定着排紙ローラー対から排紙された前記用紙を冷却する第２冷却部を更に備えることを特徴とする請求項１から６の何れか一項に記載の画像形成装置。
【発明の詳細な説明】
【技術分野】
【０００１】
本発明は、画像形成装置に関する。
【背景技術】
【０００２】
従来、感光体上に形成された静電潜像をトナーで現像してトナー像を形成し、形成されたトナー像を用紙に転写し、転写されたトナー像を加熱定着することで、用紙上に画像を形成する画像形成装置が知られている。
【０００３】
このような画像形成装置において、定着部を通過して高温になった用紙が搬送ガイド部等の非加熱部材と接触することによる画像品質の低下を防止するため、定着部の用紙搬送方向下流に設けられる搬送ガイド部の温度制御を行うことで、用紙を加熱又は冷却する技術が提供されている（例えば、特許文献１参照）。
【先行技術文献】
【特許文献】
【０００４】
【特許文献１】特開２００４−１９１４４４号公報
【発明の概要】
【発明が解決しようとする課題】
【０００５】
しかしながら、上記特許文献１に記載の技術にあっては、搬送ガイド部と用紙との温度差をなくすことはできるが、搬送ガイド部の更に下流に設けられる従動ローラーと用紙との温度差をなくすことはできない。従動ローラーとは、駆動部を有する駆動ローラーとの間に用紙をニップし、駆動ローラーの回転駆動に従動して用紙を下流へ搬送する部材である。従動ローラーは、用紙のトナー像が定着された面に接触する。
【０００６】
ここで、従来公知のトナーの多くにはワックスが含有されており、このワックスは、定着部を通過した用紙上で自然空冷されて、融点Ｔｍに達すると固化して画像上に薄い被膜を形成する。ところが、ワックスが固化する前に上記した従動ローラーに接触すると、図８に示されるように、接触した部分（従動ローラー接触部）の温度は自然空冷される他の部分（従動ローラー非接触部）に比べて急冷される。ワックスの結晶サイズは、急冷された部分では小さく、徐冷された部分では大きくなり、結晶サイズが大きいほど形成される被膜の表面平滑性が高くなる。これにより、用紙上に形成される画像において、ワックスが固化する前に従動ローラーに接触した部分が光沢の差として見えることとなり、画像の光沢むらの発生原因となっていた。
【０００７】
このような問題に対する解決手段として挙げられるのは、従動ローラーの表面にビーズ状のコート層を配置することで用紙との接触面積を低減させ、且つ従動ローラーの用紙に対する接触圧力を低下させる方法であるが、従動ローラーに用紙を接触させる以上、光沢むらを完全になくすことはできない。
また、別の解決手段として、駆動ローラーと従動ローラーとの間に隙間を設け、用紙が従動ローラーにほとんど接触しないようにする方法も挙げられるが、この方法では用紙が搬送されにくいため好ましくない。
【０００８】
そこで、本発明は、定着部を通過した用紙を従動ローラーに接触させても、用紙と従動ローラーとの接触による画像の光沢むらを生じさせない画像形成装置を提供することを目的とする。
【課題を解決するための手段】
【０００９】
以上の目的は、
用紙上に転写されたトナー像を加熱により前記用紙に定着する定着部と、
前記定着部の用紙搬送方向の下流側に設けられ、前記用紙を前記定着部から排紙する定着排紙ローラー対と、を備え、
前記定着排紙ローラー対は、駆動ローラーと、前記定着部にてトナー像が定着された前記用紙面に接触し、前記駆動ローラーとの間で前記用紙を挟持して搬送する従動ローラーと、から構成された画像形成装置において、
前記従動ローラーを加熱する加熱部と、
前記加熱部を制御する制御部と、を備えた画像形成装置により達成できる。
【発明の効果】
【００１０】
本発明によれば、加熱部により従動ローラーを加熱できるので、定着部通過後の用紙が従動ローラーに接触しても急冷されないため、用紙上に形成される画像に光沢むらが発生することを抑制できる。
【図面の簡単な説明】
【００１１】
【図１】本発明に係る画像形成装置を説明する図である。
【図２】画像形成装置の制御系を示すブロック図である。
【図３】画像形成装置における定着装置及び従動ローラーの周辺構成を示す概略構成図である。
【図４】画像形成装置における従動ローラーの概略構成図である。
【図５】温度制御処理の一例を示すフローチャートである。
【図６】変形例１に係る温度制御処理を示すフローチャートである。
【図７】変形例２に係る温度制御処理を示すフローチャートである。
【図８】従来の画像形成装置において、駆動ローラー及び従動ローラーを通過する用紙上のトナーの温度変化を説明する図である。
【発明を実施するための形態】
【００１２】
以下、本発明の実施の形態を説明する。なお、本欄の記載は特許請求の範囲に記載される技術的範囲や用語の意義を限定するものではない。
【００１３】
図１は、本発明に係る画像形成装置Ａを説明する図である。
【００１４】
画像形成装置Ａは、タンデム型カラー画像形成装置と称せられるもので、４組の画像形成部によりカラー画像形成を行う。
【００１５】
原稿台上に載置された原稿は画像読み取り装置ＳＣの走査露光装置の光学系により画像が走査露光され、ラインイメージセンサーに読み込まれ、光電変換された画像情報信号は、画像処理部（非図示）において、アナログ処理、Ａ／Ｄ変換、シェーディング補正、画像圧縮処理等を行った後、画像形成部の光書込部に入力される。
【００１６】
４組の画像形成部はイエロー（Ｙ）色の画像を形成する画像形成部１０Ｙ、マゼンタ（Ｍ）色の画像を形成する画像形成部１０Ｍ、シアン（Ｃ）色の画像を形成する画像形成部１０Ｃ、黒（Ｋ）色の画像を形成する画像形成部１０Ｋであり、それぞれ共通する符号１０の後に形成する色をあらわす符号Ｙ、Ｍ、Ｃ、Ｋを付して表記する。
【００１７】
画像形成部１０Ｙは、感光体ドラム１Ｙ及びその周囲に配置された帯電部２Ｙ、光書込部３Ｙ、現像装置４Ｙ及びドラムクリーナ５Ｙを有して構成される。
【００１８】
同様に、画像形成部１０Ｍは、感光体ドラム１Ｍの周囲に配置された帯電部２Ｍ、光書込部３Ｍ、現像装置４Ｍ及びドラムクリーナ５Ｍを、画像形成部１０Ｃは、感光体ドラム１Ｃの周囲に配置された帯電部２Ｃ、光書込部３Ｃ、現像装置４Ｃ及びドラムクリーナ５Ｃを、画像形成部１０Ｋは、感光体ドラム１Ｋの周囲に配置された帯電部２Ｋ、光書込部３Ｋ、現像装置４Ｋ及びドラムクリーナ５Ｋを有して構成される。
【００１９】
画像形成部１０Ｙ、１０Ｍ、１０Ｃ、１０Ｋにおけるそれぞれの感光体ドラム１Ｙ、１Ｍ、１Ｃ、１Ｋ、帯電部２Ｙ、２Ｍ、２Ｃ、２Ｋ、光書込部３Ｙ、３Ｍ、３Ｃ、３Ｋ、現像装置４Ｙ、４Ｍ、４Ｃ、４Ｋ及びドラムクリーナ５Ｙ、５Ｍ、５Ｃ、５Ｋはそれぞれ共通する内容の構成である。以下、特に区別が必要な場合を除き符号Ｙ、Ｍ、Ｃ、Ｋを付さずに表記することにする。
【００２０】
画像形成部１０は、光書込部３にて画像情報信号を感光体ドラム１に書き込み、感光体ドラム１に画像情報信号に基づく潜像を形成する。そして潜像は現像装置４により現像され、感光体ドラム１上に可視画像であるトナー画像が形成される。
【００２１】
画像形成部１０Ｙ、１０Ｍ、１０Ｃ、１０Ｋのそれぞれ感光体ドラム１Ｙ、１Ｍ、１Ｃ、１Ｋに、それぞれ、イエロー（Ｙ）色、マゼンタ（Ｍ）色、シアン（Ｃ）色、黒（Ｋ）色、の画像が形成される。
【００２２】
中間転写ベルト６は、複数のローラーにより巻回され、走行可能に支持されている。
【００２３】
画像形成部１０Ｙ、１０Ｍ、１０Ｃ、１０Ｋより形成された各色のトナー画像は、走行する中間転写ベルト６上に一次転写部７Ｙ、７Ｍ、７Ｃ、７Ｋにより逐次転写されてＹ（イエロー）、Ｍ（マゼンタ）、Ｃ（シアン）、Ｋ（黒）の各色層が重畳したカラー画像が形成される。
【００２４】
用紙搬送部２０は用紙Ｓを搬送する。用紙Ｓは給紙トレイ２９１、２９２、２９３に収容されており、第１給紙部２１により給紙され、レジストローラー２２を経て、二次転写部７Ａに搬送され、用紙Ｓ上に中間転写ベルト６上のカラー画像が転写される。カラー画像が転写された用紙Ｓは、定着部３０にて熱と圧力とを加えることにより用紙Ｓ上のトナー像が定着され、定着排紙ローラー対２３を経て装置外に排出される。
【００２５】
また、画像形成装置Ａは用紙反転部２４を備えており、定着がなされた用紙を定着排紙ローラー対２３から用紙反転部２４に導いて表裏を反転し排出、あるいは用紙の両面に画像形成を行うことを可能としている。
【００２６】
画像形成装置Ａの本体上部に設置された操作表示部８０から画像形成を行うに際しての用紙Ｓのサイズ、枚数等を設定できる。
【００２７】
図３は、本発明に係る画像形成装置Ａにおける定着部３０及び定着排紙ローラー対２３の周辺構成を説明する図である。なお、図３においては、定着部３０における加熱ローラー３１及び加圧ローラー３２以外の図示を省略する。
【００２８】
定着部３０は、二次転写部７Ａによりカラー画像が転写された用紙Ｓを所定の定着温度である１８０〜２００℃の温度に加熱して定着させる加熱ローラー３１、加熱ローラー３１との間に用紙Ｓをニップして、加熱ローラー３１に用紙Ｓを押圧させる加圧ローラー３２等を備えている。定着部３０は、加熱ローラー３１と加圧ローラー３２との間に用紙Ｓをニップして、用紙Ｓに熱と圧力とを加えながら当該用紙Ｓを下流側に搬送する。
【００２９】
定着部３０の下流には定着排紙ローラー対２３が設けられる。定着部３０を通過した用紙Ｓは、定着排紙ローラー対２３の搬送ニップ部５１にニップされて、下流側に搬送される。定着排紙ローラー対２３は、駆動ローラー２３Ａと従動ローラー２３Ｂとから構成されており、駆動ローラー２３Ａが用紙Ｓのトナー像が定着された面の反対側の面に接触し、従動ローラー２３Ｂが用紙Ｓのトナー像が定着された面に接触する。駆動ローラー２３Ａ及び従動ローラー２３Ｂは、定着部３０により加熱された用紙Ｓの温度が、トナーに含有されるワックスの融点Ｔｍ以下になる前に、当該用紙Ｓに接触するような位置に配置されている。
ここで、本発明に使用されるトナーに含有されるワックスとしては、例えばポリオレフィン、脂肪酸エステル、パラフィンワックス、アミド系ワックスおよびこれらの混合物等のワックスを用いることができる。
前記脂肪酸エステルとしては、例えばマレイン酸エチルエステル、マレイン酸ブチルエステル、ステアリン酸メチルエステル、ステアリン酸ブチルエステル、パルミチン酸セチルエステル、モンタン酸エチレングリコールエステル等を挙げることができる。
前記パラフィンワックスとしては、例えば天然パラフィン、マイクロワックス、合成パラフィン等を用いることができる。
前記アミド系ワックスとしては、例えばステアリン酸アミド、オレイン酸アミド、パルミチン酸アミド、ラウリル酸アミド、ベヘニル酸アミド、メチレンビスステアロアミド、エチレンビスステアロアミド等を用いることができる。
上記したワックスの融点は、４０〜１２５℃であることが好ましい。
また、ワックスの融点Tmは、示差走査熱量測定法（DSC）に従い、例えば「DSC-20」（セイコー電子工業社製）によって測定でき、測定条件は、試料10mgのものを一定の昇温速度（10℃/min）で加熱したときの融解ピーク値を融点Tmとする。
【００３０】
駆動ローラー２３Ａは、アクチュエータ６１に接続されており、所定の回転速度で回転駆動して用紙Ｓを所定の搬送速度、例えば、４００ｍｍ／ｓで搬送する。従動ローラー２３Ｂは、駆動ローラー２３Ａに対向し、所定の付勢機構（図示略）により駆動ローラー２３Ａの周面に対して押圧された状態で配置されている。
【００３１】
図４は、従動ローラー２３Ｂの概略構成図であり、図４（ａ）は図４（ｂ）に示すIV-IV線に沿った面の矢視断面図である。従動ローラー２３Ｂは、図４に示すように、中空円筒形状に形成されたパイプ状の軸７２と、この軸７２の外周面に、軸方向に所定間隔を空けて配置された２つのローラー部材７３とを備えて構成されている。ローラー部材７３の軸方向（軸７２の長さ方向）の長さは、用紙Ｓの幅方向の長さよりも小さく、且つ用紙Ｓの幅方向におけるトナー像の定着された部分の幅よりも小さい。このように、２つのローラー部材７３は用紙Ｓのトナー像が定着された面に接触する。
２つのローラー部材７３の周面にはそれぞれコート層７４が設けられ、ローラー部材７３はコート層７４を介して用紙Ｓに当接する。ローラー部材７３の周面にコート層７４が設けられていることにより、従動ローラー２３Ｂと用紙Ｓとの接触面積が低減されている。また、軸７２の両端部には、軸７２の外周面に沿って二つの圧接部材７５がそれぞれ設けられ、従動ローラー２３Ｂの用紙Ｓに対する接触圧力が軽減されている。
【００３２】
加熱部としてのヒーター７１は、軸７２の内側に設けられ、２つのローラー部材７３に対応する位置に配置されている。ヒーター７１は、ローラー部材７３を、トナーに含有されるワックスの融点Ｔｍ以上、定着部３０による定着温度未満の温度に加熱する。ヒーター７１は後述する制御部９０により所定の温度制御がなされる。ヒーター７１を温度制御してローラー部材７３を所定温度に加熱することで、定着部３０を通過した用紙Ｓがローラー部材７３に接触しても急冷しないようにすることができ、用紙Ｓ上の画像に光沢むらが生じることを抑制できる。
【００３３】
なお、従動ローラー２３Ｂは、ローラー部材７３が２つ設けられる構成としたが、ローラー部材７３が１つ又は３つ以上設けられる構成としても良い。この場合、ローラー部材７３が設けられる数に応じてヒーター７１が設けられる。
【００３４】
第１検知部としての温度センサー８は、ヒーター７１により加熱された従動ローラー２３Ｂの表面温度を検知する。温度センサー８としては、例えば、赤外線検出センサーのような非接触式のセンサーを用いることができ、サーミスタのような接触式のセンサーを用いることもできる。
【００３５】
搬送ガイド部９は、定着部３０と定着排紙ローラー対２３との間に設けられている。搬送ガイド部９は、定着部３０を通過した用紙Ｓの搬送方向前端部が、定着排紙ローラー対２３の搬送ニップ部５１に正確に挿入されるように、用紙Ｓが搬送される方向をガイドする。
【００３６】
第２検知部としての用紙センサー１３は、定着排紙ローラー対２３の搬送ニップ部５１における用紙Ｓの存否、定着排紙ローラー対２３よりも上流の所定位置における用紙Ｓの存否等を検知する。このような用紙センサー１３としては、例えば、所定の発光素子から対象物に向けて光を射出し、当該対象物からの反射光を受光素子により検出することにより対象物の存否を検出する非接触式の反射型フォトセンサーを用いることができる。
【００３７】
第１冷却部１１は、用紙センサー１３に対して冷却用のエアを送風して、用紙センサー１３が耐熱温度を超えないように冷却する。
【００３８】
第２冷却部１２は、定着排紙ローラー対２３よりも下流に設けられ、定着排紙ローラー対２３を通過した用紙Ｓに対して冷却用のエアを送風して、用紙Ｓを冷却する。第２冷却部１２は、用紙Ｓのトナー像が定着された面側と、その反対面側とにそれぞれ設けられ、用紙Ｓの両面に対してそれぞれ略垂直方向にエアを送風する。
【００３９】
これら第１冷却部１１及び第２冷却部１２から放出されるエアの一部は、従動ローラー２３Ｂに到達して従動ローラー２３Ｂを冷却する場合があるが、ヒーター７１が従動ローラー２３Ｂを加熱するため、従動ローラー２３Ｂの温度は低下しない。したがって、従動ローラー２３Ｂの周辺に冷却部が設けられていたとしても、従動ローラー２３Ｂは用紙Ｓを急冷せず、用紙Ｓ上の画像に光沢むらを生じさせない。
【００４０】
制御部９０は、図２に示すように、画像形成装置Ａの各部を制御する。制御部９０は、図示しないＣＰＵ（Central Processing Unit）、ＲＡＭ（Random Access Memory）、ＲＯＭ（Read Only Memory）を備え、画像形成装置Ａ用の各種処理プログラムに従って各種動作を行う。
本実施形態においては、制御部９０は、温度センサー８により検知された従動ローラー２３Ｂの温度に基づいてヒーター７１の制御を行う。制御部９０は、従動ローラー２３Ｂの温度が１００〜２００℃の温度となるようにヒーター７１を制御するものとしても良いし、従動ローラー２３Ｂの温度がトナーに含有されるワックスの融点と定着部３０による加熱温度との間の温度になるようにヒーター７１を制御するものとしても良い。
【００４１】
次に、以上のようにして構成された画像形成装置Ａにおいて、制御部９０により行われる温度制御処理の一例について図５を参照して以下説明する。
【００４２】
先ず、制御部９０は、ユーザーによる所定操作に基づいて、用紙Ｓに対して画像形成を開始する（ステップＳ１１）。画像形成が開始されると、制御部９０は、用紙Ｓが定着排紙ローラー対２３よりも用紙搬送方向の上流側の所定位置に到達したか否かを判定する（ステップＳ１２）。具体的には、制御部９０は、用紙センサー１３により用紙Ｓが定着排紙ローラー対２３よりも用紙搬送方向の上流側の所定位置に存在するか否かを判定する。ここで、所定位置とは、定着排紙ローラー対２３よりも用紙搬送方向の上流側の位置であって、搬送される用紙Ｓが当該位置に到達したタイミングでヒーター７１による従動ローラー２３Ｂの加熱を開始すれば、用紙Ｓが従動ローラー２３Ｂに接触する時には従動ローラー２３Ｂが所定温度に加熱された状態となっているような位置である。
用紙Ｓが所定位置に到達したと判定されると（ステップＳ１２；ＹＥＳ）、制御部９０は、ヒーター７１をオンにする（ステップＳ１３）。ヒーター７１がオンにされることにより、従動ローラー２３Ｂの加熱が開始される。
【００４３】
次に、制御部９０は、用紙Ｓが定着排紙ローラー対２３に到達したか否かを判定する（ステップＳ１４）。具体的には、制御部９０は、用紙センサー１３により、搬送ニップ部５１に用紙Ｓが存在するか否かを判定する。なお、従動ローラー２３Ｂは、用紙Ｓが搬送ニップ部５１に到達する時までに、ヒーター７１により、トナーに含有されるワックスの融点Ｔｍ以上定着温度未満の温度にまで加熱される。
用紙Ｓが定着排紙ローラー対２３に到達したと判定されると（ステップＳ１４；ＹＥＳ）、制御部９０は、ヒーター７１をオフにする（ステップＳ１５）。
【００４４】
最後に、制御部９０は、画像形成を終了するか否かを判定する（ステップＳ１６）。即ち、制御部９０は、引き続き他の用紙Ｓに対して同一の又は異なる画像形成を行うか否かを判定する。画像形成を終了しないと判定されると（ステップＳ１６；ＮＯ）、制御部９０は、ステップＳ１２〜Ｓ１６の処理を再度行う。一方、画像形成を終了すると判定されると（ステップＳ１６；ＹＥＳ）、制御部９０は、温度制御処理を終了する。
【００４５】
以上、本実施形態によれば、用紙Ｓ上のトナー像が定着された面に接触する従動ローラー２３Ｂをヒーター７１により加熱するので、用紙Ｓの従動ローラー２３Ｂに接触する部分が急冷されず、用紙Ｓ上の画像に光沢むらが生じることを抑制できる。
【００４６】
従動ローラー２３Ｂは、定着部３０により加熱された用紙Ｓの温度がトナーに含有されるワックスの融点以下になる前に、用紙Ｓに接触する位置に配置されているので、ワックスが固化する前に従動ローラー２３Ｂが用紙Ｓに接触し、用紙Ｓを急冷しないので、用紙Ｓ上の画像に光沢むらが生じることをより確実に抑制できる。
【００４７】
また、温度センサー８により検知された従動ローラー２３Ｂの温度に基づいてヒーター７１を制御するので、ヒーター７１による加熱を精度良く行うことができ、用紙Ｓ上の画像に光沢むらが生じることをより確実に抑制できる。
【００４８】
また、従動ローラー２３Ｂの温度が、トナーに含有されるワックスの融点と定着部３０による加熱温度との間の温度となるようにヒーター７１を制御するので、従動ローラー２３Ｂを十分に加熱できなかったり従動ローラー２３Ｂを必要以上に加熱し過ぎたりすることを防止でき、画像品質の低下を抑制できる。
【００４９】
また、用紙センサー１３を冷却する第１冷却部１１や用紙Ｓを冷却する第２冷却部１２が従動ローラー２３Ｂをも冷却してしまったとしても、ヒーター７１により従動ローラー２３Ｂを加熱することができるので、第１冷却部１１や第２冷却部１２を従動ローラー２３Ｂの周辺に設けることができる。したがって、用紙Ｓ上に形成される画像に光沢むらを生じさせることなく、画像形成装置Ａの小型化を図ることができる。
【００５０】
続いて、図６及び図７を参照して画像形成装置Ａにおける温度制御処理の変形例について説明する。なお、各変形例における画像形成装置の構成は、上記実施形態の画像形成装置Ａと同様である。
【００５１】
＜変形例１＞
変形例１に係る温度制御処理について図６を参照して説明する。
先ず、制御部９０は、ユーザーによる所定操作に基づいて、用紙Ｓに対して画像形成を開始する（ステップＳ２１）。画像形成が開始されると、制御部９０は、従動ローラー２３Ｂの温度がトナーに含有されるワックスの融点Ｔｍ以下であるか否かを判定する（ステップＳ２２）。具体的には、制御部９０は、温度センサー８により検知される従動ローラー２３Ｂの温度と、予め入力されたワックスの融点Ｔｍとを比較することにより判定処理を行う。
【００５２】
従動ローラー２３Ｂの温度がワックスの融点Ｔｍ以下であると判定されると（ステップＳ２２；ＹＥＳ）、制御部９０は、ヒーター７１をオンにし、従動ローラー２３Ｂの加熱を開始する（ステップＳ２３）。一方、従動ローラー２３Ｂの温度がワックスの融点Ｔｍを超えていると判定されると（ステップＳ２２；ＮＯ）、制御部９０は、ヒーター７１をオフにし、従動ローラー２３Ｂを自然冷却する（ステップＳ２４）。
【００５３】
次に、制御部９０は、用紙Ｓが定着排紙ローラー対２３に到達したか否かを判定する（ステップＳ２５）。具体的には、制御部９０は、用紙センサー１３により、搬送ニップ部５１に用紙Ｓが存在するか否かを判定する。
用紙Ｓが定着排紙ローラー対２３に到達したと判定されると（ステップＳ２５；ＹＥＳ）、制御部９０は、ヒーター７１をオフにする（ステップＳ２６）。一方、用紙Ｓが定着排紙ローラー対２３に到達しないと判定されると（ステップＳ２５；ＮＯ）、制御部９０は、ステップＳ２２〜Ｓ２５の処理を再度行う。
【００５４】
最後に、制御部９０は、画像形成を終了するか否かを判定する（ステップＳ２７）。即ち、制御部９０は、引き続き他の用紙Ｓに対して同一の又は異なる画像を形成するか否かを判定する。画像形成を終了しないと判定されると（ステップＳ２７；ＮＯ）、制御部９０は、ステップＳ２２〜Ｓ２７の処理を再度行う。画像形成処理を終了すると判定されると（ステップＳ２７；ＹＥＳ）、制御部９０は、変形例１に係る温度制御処理を終了する。
【００５５】
＜変形例２＞
変形例２に係る温度制御処理について図７を参照して説明する。
先ず、制御部９０は、ユーザーによる所定操作に基づいて、用紙Ｓに対して画像形成を開始する（ステップＳ３１）。画像形成が開始されると、制御部９０は、従動ローラー２３Ｂの温度調節を開始する（ステップＳ３２）。ここで、従動ローラー２３Ｂの温度調節とは、上記した変形例１に係るステップＳ２２〜Ｓ２４の処理と同様であり、温度センサー８により検知される従動ローラー２３Ｂの温度に基づいて、従動ローラー２３Ｂの温度がトナーに含有されるワックスの融点Ｔｍ以下であるか否かを判定し、その判定結果に基づいてヒーター７１をオンオフ制御するものである。
【００５６】
次に、制御部９０は、用紙Ｓが定着排紙ローラー対２３に到達したか否かを判定する（ステップＳ３３）。具体的には、制御部９０は、用紙センサー１３により用紙Ｓが搬送ニップ部５１に存在するか否かを判定する。
用紙Ｓが定着排紙ローラー対２３に到達したと判定されると（ステップＳ３３；ＹＥＳ）、制御部９０は、用紙Ｓが定着排紙ローラー対２３に到達したタイミングから計時を開始する（ステップＳ３４）。
【００５７】
次に、制御部９０は、計時した時間が所定のタイマー値に達したか否かを判定する（ステップＳ３５）。例えば、従動ローラー２３Ｂが用紙Ｓに当接してから１回転するまでの間、従動ローラー２３Ｂの温度調節を実行するものとした場合、従動ローラー２３Ｂの直径を１７ｍｍ、用紙Ｓの搬送速度を４００ｍｍ／ｓとすると、ステップＳ３５におけるタイマー値は約０．１３秒間となる。
【００５８】
タイマー値に達したと判定されると（ステップＳ３５；ＹＥＳ）、制御部９０は、従動ローラー２３Ｂの温度調節を終了する（ステップＳ３６）。具体的には、制御部９０は、温度センサー８により検知された温度に基づくヒーター７１のオンオフ制御を停止し、ヒーター７１をオフ状態とする。
【００５９】
最後に、制御部９０は、画像形成を終了するか否かを判定する（ステップＳ３７）。即ち、制御部９０は、引き続き他の用紙Ｓに対して同一の又は異なる画像を形成するか否かを判定する。画像形成を終了しないと判定されると（ステップＳ３７；ＮＯ）、制御部９０は、ステップＳ３２〜Ｓ３７の処理を再度行う。画像形成を終了すると判定されると（ステップＳ３７；ＹＥＳ）、制御部９０は、変形例２に係る温度制御を終了する。
【００６０】
なお、本発明の実施の形態では、画像形成装置Ａが用紙センサー１３を備えるものとしたが、用紙センサー１３を備えていなくても良く、この場合制御部９０は、例えば、画像形成の開始とともに従動ローラー２３Ｂの温度調節を開始し、画像形成の終了とともに従動ローラー２３Ｂの温度調節を終了する。
【００６１】
また、本発明の実施の形態では、画像形成装置Ａが第１冷却部１１及び第２冷却部１２を備えるものとしたが、画像形成装置Ａは第１冷却部１１及び第２冷却部１２を備えていなくても良いし、何れか一方のみを備えていても良い。
【００６２】
また、本発明の実施の形態では、用紙Ｓのトナー像定着面に従動ローラー２３Ｂが接触し、用紙Ｓのトナー像定着面の反対側の面に駆動ローラー２３Ａが接触するものとしたが、用紙Ｓの両面に画像形成を行う場合には、直前にトナー像が定着された面に従動ローラー２３Ｂが接触するものとする。
【符号の説明】
【００６３】
６  中間転写ベルト
７Ｙ、７Ｍ、７Ｃ、７Ｋ  一次転写部
７Ａ  二次転写部
８  温度センサー（第１検知部）
９  搬送ガイド部
１０Ｙ、１０Ｍ、１０Ｃ、１０Ｋ  画像形成部
１１  第１冷却部
１２  第２冷却部
１３  用紙センサー（第２検知部）
２０  用紙搬送部
２３  定着排紙ローラー対
２３Ａ  駆動ローラー
２３Ｂ  従動ローラー
２４  用紙反転部
２５  排紙ローラー
３０  定着部
３１  加熱ローラー
３２  加圧ローラー
５１  搬送ニップ部
６１  アクチュエータ
７１  ヒーター（加熱部）
７２  軸
７３  ローラー部材
７４  コート層
７５  圧接部材
８０  操作表示部
９０  制御部
２９１、２９２、２９３  給紙トレイ
Ａ  画像形成装置
ＳＣ  画像読み取り装置
Ｓ  用紙
【図１】
2013011636.tif 000003
【図２】
2013011636.tif 000004
【図３】
2013011636.tif 000005
【図４】
2013011636.tif 000006
【図５】
2013011636.tif 000007
【図６】
2013011636.tif 000008
【図７】
2013011636.tif 000009
【図８】
2013011636.tif 000010